【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
釣り竿の先端から道糸を伸ばし、その道糸には浮き止めを止着し、遊動の棒浮き、道糸を中心軸にして上下動の側蓋を有する撒き餌カゴ、重り及び釣り針を止着したハリス糸を設けた釣り具あるいは十字架サルカンを介してサビキを設けその先端に重錘を止着した釣り具において、上記側蓋を有する撒き餌カゴは中心軸上に棒浮きを抵抗なく挿通できる大きさの孔を天井部及び底部に有し、かつ天井部中央の中心軸上の孔の外周あるいは撒き餌カゴ天井部の外周に浮力材を設け、中通し撒き餌カゴの底部には中心軸上に孔を有する受け皿を設けた中通し撒き餌カゴで、該受け皿の下面で中心軸上の孔の外周に重りを掛合するための重り掛合用堤を設けている、該中通し撒き餌カゴは内部に撒き餌を詰めた状態では海底へと沈むが、海中に投入後、カゴ内の撒き餌が海中に散らばった後は浮力材の働きにより海面へと浮上するように浮力材の量を調節している、浮上して棒浮きの上部の海面まで道糸に沿って円滑に移動及び通過して中通し撒き餌カゴの天井部が海面上に姿を表すことにより、釣り具が正常に作動していることを確認すると共に、釣り針からの魚信を撒き餌カゴに妨げられることなく棒浮きに伝える中通し撒き餌カゴである（これをＡタイプ中通し撒き餌カゴと名付ける）、上記釣り具の構成要素である側蓋を有する撒き餌カゴとしてＡタイプ中通し撒き餌カゴを用いることを特徴とする釣り具。
【請求項２】
釣り竿の先端から道糸を伸ばし、その道糸には浮き止めを止着し、遊動の棒浮き、道糸を中心軸にして上下動の底蓋を有する中通し撒き餌カゴ、重り及び釣り針を止着したハリス糸を設けた釣り具において、上記底蓋を有する中通し撒き餌カゴは中心軸上に棒浮きを抵抗なく挿通できる大きさの孔を天井部に有し、かつ天井部中央の中心軸上の孔の外周あるいは撒き餌カゴ天井部の外周に浮力材を設けていて、また、形状が睡蓮の葉の形をしている底蓋を中通し撒き餌カゴの開口底部に連結具により開閉可能に連結して設けていて、また、該底蓋の対面の位置で開口部縁に底蓋の重さとバランスをとるためのバランシング重りを設けている（これをサブマリンカゴと名付ける）、上記底蓋には下面につけ餌ポケット及び重り掛合用堤を設けたものあるいはつけ餌ポケットを設けないものの２種類があり、該つけ餌ポケットを設けないものの中には、単に底蓋の中央部に窪みを形成しただけのものや、開閉を容易にするために重りを切欠け部先端に固着したものがある、サブマリンカゴの筒体が合成樹脂で筒体に複数の透孔が形成された形状である場合は突き飛ばしオモリを用いる、サブマリンカゴは内部に撒き餌を詰めた状態では海底へと沈むが、海中に投入後、カゴ内の撒き餌が海中に開散した後は浮力材の働きにより海面へと浮上するように浮力材の量を調節し、浮上して棒浮きの上部の海面まで釣り糸に沿って円滑に移動及び通過してサブマリンカゴの天井部が海面上に姿を表すことにより、釣り具が正常に作動していることを確認すると共に、釣り針からの魚信を撒き餌カゴに妨げられることなく棒浮きに伝える、該サブマリンカゴを上記底蓋を有する中通し撒き餌カゴとして用いることを特徴とする釣り具。
【請求項３】
請求項１あるいは請求項２の釣り具の構成要素である棒浮きにおいて、浮力の大きな材料で出来た円筒形棒浮きの中心孔に中通しパイプを貫通して貫設し、該貫設した中通しパイプの下部をさらに下方に伸ばした中通しパイプ、これを下側中通しパイプと名付ける、該下側中通しパイプに逆円錐形重りの中心孔を挿通し、逆円錐形重りと円筒形棒浮きの両方を中通しパイプに固着することにより逆円錐形重りの上面と円筒形棒浮きの下面との固着面が離れないようにした中通し棒浮き、これをＡタイプ中通し棒浮きと名付ける、浮力の大きな材料でできた円筒形棒浮きの下部に重力の大きな材料でできた逆円錐形重りを設けて自立浮きに近い棒浮きにし、かつ下方に向かって先細りになっている逆円錐形重りの上面と円筒形棒浮きの下面との固着面の外周で段差を生じさせないようにすることにより、サブマリンカゴあるいはＡタイプ中通し撒き餌カゴが浮上したとき通過しやすいようにした中通し棒浮きで、該Ａタイプ中通し棒浮きを上記請求項１あるいは請求項２の釣り具の構成要素である遊動の棒浮きに代えて用いることを特徴とする請求項１記載あるいは請求項２記載の釣り具。
【請求項４】
請求項１あるいは請求項２の釣り具の構成要素である重りにおいて、重錘が下部に在るようにして重錘を衝撃・磨耗に強い材料で包んだ重り、該重りは中心軸上に中心孔を有し、該中心孔の下部穴を中心にして同心円状に重り下部を椀の形に窪ませると共に椀の形に窪んだ金属板を被せて冠着してある、なおかつ該中心孔に線材を挿通し、該線材の両端を曲げて上下端に輪を形成する、上端の輪（糸止め部）の下にはスプリングバネを線材が中心軸になると共に上端の輪を押し上げるように設け、下端の輪の中には弾性材料でできたサオが挿通され、上記スプリングバネの押し上げる力により該サオは椀の形に窪んだ金属板の縁に当接されて固定される、これをサオ重りと名付ける、該サオ重りを請求項１あるいは請求項２あるいは請求項３の釣り具においてＡタイプ中通し撒き餌カゴあるいはサブマリンカゴの筒体が金属メッシュ構造である場合に、釣り具の構成要素である重りに代えて用いることのできる釣り具の部品サオ重りである。
【請求項５】
蝶番には２枚の平板を連結する軸受け部があるが、該軸受け部中央にコイル状バネを設け、蝶番の軸がコイル状バネの中心軸を兼ねるように軸を挿通し、蝶番の２枚の平板を広げた状態で、線材でできたコイル状バネの両端が２枚の平板と交差する位置で各々別の線材を９０度外側に曲げて延長し、各々別の平板に当接して固着したもの（そのときコイル状バネには捩じれの弾性力が生じていないものとする）、これをコイル状バネ付蝶番と名付ける、蝶番の２枚の平板の片方を回転させるとコイル状バネに捩じれの弾性力が生じて、外力が無くなると元の状態の２枚の平板が広がった状態に戻る、コイル状バネの弾性力により元の状態に戻るという形状記憶の機能を持った蝶番である。該コイル状バネ付蝶番を請求項２記載のサブマリンカゴにおいてＢタイプ中通し撒き餌カゴと底蓋とを開閉可能に連結する連結具として用いることのできる釣り具の部品コイル状バネ付蝶番である。
【請求項６】
請求項３の釣り具の構成要素であるＡタイプ中通し棒浮きにおいて、下側中通しパイプに逆円錐形重りの中心孔を挿通して固着したのがＡタイプ中通し棒浮きであるが、これに対して下側中通しパイプと逆円錐形重りとが着脱できるように下側中通しパイプの外周と逆円錐形重りの中心孔を加工し、かつ同じ様に中心孔を加工して下側中通しパイプに着脱できるようにした下落防止具を作り、円筒形棒浮きの下部に下落防止具を設けるか、円筒形棒浮きの下部に逆円錐形重りを設けるか、どちらか一方を選んで着脱自在に取り替えることができるようにした中通し棒浮き、これをＢタイプ中通し棒浮きと名付ける、下落防止具とは円筒形棒浮きの下面に当接して設けることにより、サブマリンカゴ（Ｂタイプ中通し撒き餌カゴ）の天井部中央の孔の下面に下落防止具を引っ掛け、釣り具を海中に投入した後サブマリンカゴが海底へと沈んで行かないようにするためのものである、該Ｂタイプ中通し棒浮きを請求項１あるいは請求項２の釣り具の構成要素である棒浮きに代えて用いることのできる釣り具の部品Ｂタイプ中通し棒浮きである。
【請求項７】
請求項３に記載のＡタイプ中通し棒浮きを上記請求項１あるいは請求項２の釣り具の構成要素である遊動の棒浮きに代えて用いた釣り具により釣りをする方法であって、まず請求項１の場合は、釣り竿の先端から道糸を伸ばし、道糸には重りが所望の水深で係止するように浮き止めを固定し、道糸をシモリに挿通し、Ａタイプ中通し棒浮きの糸孔に挿通する、そして側蓋を有する撒き餌カゴの天井部中央の孔及び受け皿中央の孔（下部の中心軸上の孔）に挿通し、先端には重りを止着し重りからハリス糸を伸ばし先端に釣り針を止着するあるいは道糸の先端に十字架サルカンを止着し十字架サルカンにサビキを連結しその先端に重錘を止着する、用い方は、側蓋を有する撒き餌カゴの側面に設けた側蓋のヒンジ部を支点として横方向へ回動させることにより、撒き餌カゴ本体の撒き餌入り口を開放する、そして該入り口から撒き餌カゴ本体内へ適当な量の撒き餌を投入し、側蓋を閉鎖位置へ回動させる、そして側蓋に設けられた止め金具により閉止状態に保持する、そして道糸の下端に止着した重りあるいは十字架サルカンを受け皿下面に設けた重り掛合用堤に掛合して道糸を牽引することにより、側蓋を有する撒き餌カゴは道糸にぶら下がった状態になる、このような状態で釣り具を海中へ投入するとき、重り掛合用堤に掛合するのが十字架サルカンの場合は、投入時に釣り竿を強く振ることによりサビキ先端の重錘の遠心力のより枝ハリス糸及び釣り針を側蓋を有する撒き餌カゴから遠ざけることができるので絡みにくくなり、重り掛合用堤に掛合するのがサオ重りの場合は、サオ重りのサオが長いのでその長さの距離だけ金属メッシュ構造の側蓋を有する撒き餌カゴからハリス及び釣り針を遠ざけることができるので、ハリス及び釣り針が側蓋を有する撒き餌カゴに絡みにくくなる、      着水後、側蓋を有する撒き餌カゴ及び重りあるいは十字架サルカンの仕掛けは沈降する、重りあるいは十字架サルカンのサビキ仕掛けは道糸に固定した浮き止めがシモリを介してＡタイプ中通し棒浮きの上端の糸孔に係止されることにより沈降を停止する、側蓋を有する撒き餌カゴは筒体が荒い網の目状になっているので撒き餌カゴ内の撒き餌を分散し易い、かつＡタイプ中通し撒き餌カゴの比重は海水よりも軽くできているので、撒き餌を撒きながら沈降し撒き餌が少なくなると自然と浮上しようとする動きに転じる、ゆえに重りあるいは十字架サルカンの上の任意の位置まで沈降した後浮上し、海面にあるＡタイプ中通し棒浮きの上部まで道糸に沿って円滑に移動及び通過し、側蓋を有する撒き餌カゴが海面に姿を表すことにより、釣り具の一連の作動が正常に行われたことを釣り人は知ることができる、また上記沈降から棒浮きの上部まで浮上するまでの一連の動きの間、釣り針からの魚信を撒き餌カゴに妨げられることなく棒浮きに伝えることができる、このことを特徴とする魚を釣る方法、次に請求項２は、釣り竿の先端から道糸を伸ばし、道糸には重りが所望の水深で係止するように浮き止めを固定し、道糸をシモリに挿通し、Ａタイプ中通し棒浮きの糸孔に挿通する、そして底蓋を有する中通し撒き餌カゴの天井部中央の孔に挿通し、先端には重りを止着し重りからハリス糸を伸ばし先端に釣り針を止着する、用い方は、サブマリンカゴを回動させて開口部を上向きに保持し、底蓋を開いて、サブマリンカゴ本体の開口部を開口して、該開口部から撒き餌カゴ本体内へ適当な量の撒き餌を投入し、ハリス糸の先端に止着した釣り針につけ餌を刺して、底蓋下面につけ餌ポケットを設けたタイプの場合はつけ餌ポケットに収め、底蓋下面につけ餌ポケットを設けないタイプの底蓋を用いる場合は、底蓋を閉めるまえにつけ餌を釣り針のその先がサブマリンカゴの開口部金属縁と底蓋の切欠き部先端の金属板の間に挟まれるように撒き餌の上に置く、そして底蓋を閉鎖位置へ回動させ、道糸に止着した重りを重り掛合用堤にあるいは窪みに掛合して道糸を引っ張ることにより底蓋を閉止し、撒き餌を入れたサブマリンカゴが道糸にぶら下がった状態になる、このような状態で釣り具を海中へ投入し、着水後、重りは所望の水深まで沈降する、その際つけ餌ポケットが有る場合は、ハリス糸の先端に付けたつけ餌をつけ餌ポケットから引き摺り出すことになり、つけ餌ポケットが無いタイプの場合は、サブマリンカゴの開口部の撒き餌の上に置かれていたつけ餌を引っ張り出す、そして、つけ餌を追うように本発明のサブマリンカゴは沈んで行き、所望の水深で係止している重りに追いつき、さらに、係止している重りに引っ掛かり重りを海底へと引き込もうとすると、棒浮きが沈むので分る、該係止している重りが突き飛ばしオモリの場合は、竿をシャクルことにより道糸の先端に止着された突き飛ばしオモリが引っ張られてサブマリンカゴ内の撒き餌に強く突き当たり撒き餌を飛ばし散らす、（該係止している重りがサオ重りの場合は筒体が荒い網の目状になっているので、上記請求項１の釣り具を用いた釣り具により釣りをする方法で記載している如くで、以後同じ動きなので略同一）サブマリンカゴは撒き餌が無くなると浮上するようにできているので、浮上してＡタイプ中通し棒浮きの上部まで道糸に沿って円滑に移動及び通過し、サブマリンカゴが海面に姿を表すことにより、釣り具の一連の作動が正常に行われたことを釣り人は知ることができる、また上記沈降から棒浮きの上部まで浮上するまでの一連の動きの間、釣り針からの魚信を撒き餌カゴに妨げられることなく棒浮きに伝えることができる、このことを特徴とする魚を釣る方法、